(57)【要約】【課題】従来は、車両の表面（周囲から見える場所）に、塗料を用いるか印刷物を貼るなどして、宣伝広告の画像や文字などを描いていたが、宣伝広告のデザインを変更する場合は、塗料を塗り直すか、または印刷物を貼り直す必要があり、多くの時間と手間を必要とし、変更に柔軟に対応することができず、タイムリーな宣伝広告を行うことが困難であった。【解決手段】宣伝広告システム１００のサーバ１０１から宣伝広告実施車両４に宣伝広告情報を送信し、宣伝広告実施車両４に設備した出力ユニット２０を使用して、宣伝広告情報を画面表示または音声出力する。【選択図】　図１
2004029572.tif 000002
【特許請求の範囲】
【請求項１】
自動車を含む車両等に宣伝広告情報を表示させるための宣伝広告システムであって、
前記宣伝広告システムのサーバには、
前記車両と通信ネットワークを介して情報交換を行うための通信手段と、
前記車両に宣伝広告情報を送信するための宣伝広告情報送信手段と
を具備し、
前記車両には、
前記宣伝広告システムのサーバと通信ネットワークを介して情報交換を行うための通信手段と、
前記宣伝広告システムからの宣伝広告情報を受信するための宣伝広告情報受信手段と、
前記宣伝広告情報を画像表示、音声出力または文字出力するための宣伝広告情報出力手段と
を具備することを特徴とする宣伝広告システム。
【請求項２】
前記車両には、
地理上の位置検出を行うための位置検出手段と、
前記位置検出情報を前記サーバに送信するための位置検出情報送信手段と
を具備し、
前記サーバには、
前記車両から該車両の位置情報を受信するための位置情報受信手段と、
前記車両の位置情報を基に、該車両の宣伝広告の実施状況を記録するための宣伝広告実施状況記録手段と
をさらに具備することを特徴とする請求項１に記載の宣伝広告システム。
【請求項３】
前記宣伝広告システムのサーバには、
前記車両を運転し宣伝広告を実施する宣伝広告実施者の個人認証情報を登録するための個人認証情報登録手段と、
前記宣伝広告実施者が保持する個人認証用のＩＣカードまたは携帯端末と情報交換を行うための通信手段と、
前記個人認証情報を前記ＩＣカードまたは携帯端末に記録するための個人認証情報記録手段と、
前記車両から送信される前記個人認証情報を基に前記宣伝広告実施者を認証するための認証手段と
を具備し、
前記車両には、宣伝広告実施者の保持するＩＣカードまたは携帯端末に記録された個人認証情報を読み取るための個人認証情報読取手段と、
前記読み取った個人認証情報を前記宣伝広告システムのサーバに送信するための個人認証情報送信手段と
をさらに具備することを特徴とする請求項１または請求項２に記載の宣伝広告システム。
【請求項４】
前記車両には、
宣伝広告実施者が情報を入力するための情報入力手段と、
前記サーバから送信されるアンケート情報を受信し表示するためのアンケート情報表示手段と、
前記情報入力手段により入力されたアンケート回答情報を前記宣伝広告システムのサーバに送信するためのアンケート回答情報送信手段と
を具備し、
前記宣伝広告システムのサーバには、
前記車両にアンケート情報を送信して表示させるためのアンケート情報送信手段と、
前記車両からアンケート回答情報を受信するためのアンケート回答情報受信手段と
をさらに具備することを特徴とする請求項１から３のいずれかに記載の宣伝広告システム。
【請求項５】
自動車を含む車両等に宣伝広告情報を表示させるための宣伝広告システムにおける宣伝広告方法であって、
前記宣伝広告システムのサーバにより、
前記車両と通信ネットワークを介して情報交換を行うための通信手順と、
前記車両に宣伝広告情報を送信するための宣伝広告情報送信手順と
が行われ、
前記車両により、
前記宣伝広告システムのサーバと通信ネットワークを介して情報交換を行うための通信手順と、
前記宣伝広告システムからの宣伝広告情報を受信するための宣伝広告情報受信手順と、
前記宣伝広告情報を画像表示、音声出力または文字出力するための宣伝広告情報出力手順と
が行われることを特徴とする宣伝広告方法。
【請求項６】
自動車を含む車両等に宣伝広告情報を表示させるための宣伝広告システムのサーバ内のコンピュータに、
前記車両と通信ネットワークを介して情報交換を行うための通信手順と、
前記車両に宣伝広告情報を送信するための宣伝広告情報送信手順と
を実行させるためのプログラムを記録したコンピュータ読み取り可能な記録媒体。
【請求項７】
自動車を含む車両等に宣伝広告情報を表示させるための宣伝広告システムのサーバ内のコンピュータに、
前記車両と通信ネットワークを介して情報交換を行うための通信手順と、
前記車両に宣伝広告情報を送信するための宣伝広告情報送信手順と
を実行させるためのプログラム。
【請求項８】
自動車を含む車両等に宣伝広告情報を表示させるための宣伝広告システムにおける前記車両内のコンピュータに、
前記宣伝広告システムのサーバと通信ネットワークを介して情報交換を行うための通信手順と、
前記宣伝広告システムからの宣伝広告情報を受信するための宣伝広告情報受信手順と、
前記宣伝広告情報を画像表示、音声出力または文字出力するための宣伝広告情報出力手順と
を実行させるためのプログラムを記録したコンピュータ読み取り可能な記録媒体。
【請求項９】
自動車を含む車両等に宣伝広告情報を表示させるための宣伝広告システムにおける前記車両内のコンピュータに、
前記宣伝広告システムのサーバと通信ネットワークを介して情報交換を行うための通信手順と、
前記宣伝広告システムからの宣伝広告情報を受信するための宣伝広告情報受信手順と、
前記宣伝広告情報を画像表示、音声出力または文字出力するための宣伝広告情報出力手順と
を実行させるためのプログラム。
【発明の詳細な説明】
【０００１】
【発明の属する技術分野】
本発明は、自動車などの車両を利用した宣伝広告システム、及び宣伝広告方法に関する。
【０００２】
【従来の技術】
従来の自動車などの車両を利用した宣伝広告では、車両の表面（周囲から見える場所）に、塗料を用いるか印刷物を貼るなどして、宣伝広告の画像や文字などを描き、周囲への宣伝広告を行っている。なお、ここでいう車両とは、主に道路交通法における、自動車（自動二輪車を含む）、原動機付き自転車、軽車両（自転車を含む）、身体障害者用の車いす、歩行補助車などを指し、原動機（電動機を含む）を用いるものを全て含む概念である。
【０００３】
【発明が解決しようとする課題】
車両の表面（周囲から見える場所）に、塗料を用いるか印刷物を貼るなどして、宣伝広告の画像や文字などを描く方法は、簡単で安価な方法ではあるが、宣伝広告のデザインの全部または一部を変更する場合は、その全部または一部を塗料で塗り直すか、また印刷物を貼り直す必要があり、多くの時間と手間を必要とし、変更に柔軟に対応することができず、タイムリーな宣伝広告を行うことが困難であった。
【０００４】
本発明はかかる課題を解決するものであり、本発明は、自動車などの車両を宣伝媒体として利用すると共に、宣伝広告の表示と変更を迅速かつ容易に行うことを可能にする、宣伝広告システム及び宣伝広告方法を提供することを目的とする。
【０００５】
【課題を解決するための手段】
本発明は上記課題を解決するためになされたものであり、本発明の宣伝広告システムは、自動車を含む車両等に宣伝広告情報を表示させるための宣伝広告システムであって、前記宣伝広告システムのサーバには、前記車両と通信ネットワークを介して情報交換を行うための通信手段と、前記車両に宣伝広告情報を送信するための宣伝広告情報送信手段とを具備し、前記車両には、前記宣伝広告システムのサーバと通信ネットワークを介して情報交換を行うための通信手段と、前記宣伝広告システムからの宣伝広告情報を受信するための宣伝広告情報受信手段と、前記宣伝広告情報を画像表示または音声出力するための宣伝広告情報出力手段とを具備することを特徴とする。
これにより、所望の宣伝広告情報を即時かつ簡単に表示できる他、宣伝広告のデザインを変更する場合、従来のように塗料で描き直したり、印刷物を貼り直すことなく、簡単にデザイン変更が行える。従って、効率的かつ効果的な宣伝広告が可能となる。
【０００６】
また、本発明の宣伝広告システムは、前記車両には、地理上の位置検出を行うための位置検出手段と、前記位置検出情報を前記サーバに送信するための位置検出情報送信手段とを具備し、前記サーバには、前記車両から該車両の位置情報を受信するための位置情報受信手段と、前記車両の位置情報を基に、該車両の宣伝広告の実施状況を記録するための宣伝広告実施状況記録手段とをさらに具備することを特徴とする。
これにより、宣伝広告の実施状況を容易に把握でき、宣伝広告実施者が宣伝広告の依頼条件を満たしているかどうかを確認できる。
【０００７】
また、本発明の宣伝広告システムは、前記宣伝広告システムのサーバには、前記車両を運転し宣伝広告を実施する宣伝広告実施者の個人認証情報を登録するための個人認証情報登録手段と、前記宣伝広告実施者が保持する個人認証用のＩＣカードまたは携帯端末と情報交換を行うための通信手段と、前記個人認証情報を前記ＩＣカードまたは携帯端末に記録するための個人認証情報記録手段と、　前記車両から送信される前記個人認証情報を基に前記宣伝広告実施者を認証するための認証手段とを具備し、前記車両には、宣伝広告実施者の保持するＩＣカードまたは携帯端末に記録された個人認証情報を読み取るための個人認証情報読取手段と、前記読み取った個人認証情報を前記宣伝広告システムのサーバに送信するための個人認証情報送信手段とをさらに具備することを特徴とする。
これにより、宣伝広告実施者が宣伝広告の依頼条件を満たした人物かどうかを確認できる。
【０００８】
また、本発明の宣伝広告システムは、前記車両には、宣伝広告実施者が情報を入力するための情報入力手段と、前記サーバから送信されるアンケート情報を受信し表示するためのアンケート情報表示手段と、前記情報入力手段により入力されたアンケート回答情報を前記宣伝広告システムのサーバに送信するためのアンケート回答情報送信手段とを具備し、前記宣伝広告システムのサーバには、前記車両にアンケート情報を送信して表示させるためのアンケート情報送信手段と、前記車両からアンケート回答情報を受信するためのアンケート回答情報受信手段とをさらに具備することを特徴とする。
これにより、宣伝広告実施者を選別して効率的にアンケート情報を収集することができる。
【０００９】
また、本発明の宣伝広告方法は、自動車を含む車両等に宣伝広告情報を表示させるための宣伝広告システムにおける宣伝広告方法であって、前記宣伝広告システムのサーバにより、前記車両と通信ネットワークを介して情報交換を行うための通信手順と、前記車両に宣伝広告情報を送信するための宣伝広告情報送信手順とが行われ、前記車両により、前記宣伝広告システムのサーバと通信ネットワークを介して情報交換を行うための通信手順と、前記宣伝広告システムからの宣伝広告情報を受信するための宣伝広告情報受信手順と、前記宣伝広告情報を画像表示、音声出力または文字出力するための宣伝広告情報出力手順とが行われることを特徴とする。
これにより、所望の宣伝広告情報を迅速かつ簡単に表示できる他、宣伝広告のデザインを変更する場合、従来のように塗料で描き直したり、印刷物を貼り直すことなく、簡単にデザイン変更が行える。従って、効率的かつ効果的な宣伝広告が可能となる。
【００１０】
また、本発明のコンピュータ読み取り可能な記録媒体は、自動車を含む車両等に宣伝広告情報を表示させるための宣伝広告システムのサーバ内のコンピュータに、前記車両と通信ネットワークを介して情報交換を行うための通信手順と、前記車両に宣伝広告情報を送信するための宣伝広告情報送信手順とを実行させるためのプログラムを記録したコンピュータ読み取り可能な記録媒体である。
【００１１】
また、本発明のコンピュータプログラムは、自動車を含む車両等に宣伝広告情報を表示させるための宣伝広告システムのサーバ内のコンピュータに、前記車両と通信ネットワークを介して情報交換を行うための通信手順と、前記車両に宣伝広告情報を送信するための宣伝広告情報送信手順とを実行させるためのプログラムである。
【００１２】
また、本発明のコンピュータ読み取り可能な記録媒体は、自動車を含む車両等に宣伝広告情報を表示させるための宣伝広告システムにおける前記車両内のコンピュータに、前記宣伝広告システムのサーバと通信ネットワークを介して情報交換を行うための通信手順と、前記宣伝広告システムからの宣伝広告情報を受信するための宣伝広告情報受信手順と、前記宣伝広告情報を画像表示、音声出力または文字出力するための宣伝広告情報出力手順とを実行させるためのプログラムを記録したコンピュータ読み取り可能な記録媒体である。
【００１３】
また、本発明のコンピュータプログラムは、自動車を含む車両等に宣伝広告情報を表示させるための宣伝広告システムにおける前記車両内のコンピュータに、前記宣伝広告システムのサーバと通信ネットワークを介して情報交換を行うための通信手順と、前記宣伝広告システムからの宣伝広告情報を受信するための宣伝広告情報受信手順と、前記宣伝広告情報を画像表示、音声出力または文字出力するための宣伝広告情報出力手順とを実行させるためのプログラムである。
【００１４】
【発明の実施の形態】
次に本発明の実施の形態例について図面を参照して説明する。
【００１５】
図１は、本発明の宣伝広告システムのシステム構成例を示す図である。図１において、１は宣伝広告実施者、２は宣伝広告依頼者、２ａは宣伝広告依頼者の端末、３は宣伝広告対象者、４は宣伝広告実施車両、５はインターネット、公衆回線や、近接通信（無線ＬＡＮや、ブルートゥース（Ｂｌｕｅｔｏｏｔｈ）やＤＳＲＣ（Ｄｅｄｉｃａｔｅｄ　Ｓｈｏｒｔ　Ｒａｎｇｅ　Ｃｏｍｍｕｎｉｃａｔｉｏｎ：狭域無線通信）等）などの通信ネットワーク、２０は宣伝広告実施車両に設備された出力ユニット、１００は宣伝広告システム、１０１は宣伝広告システムのサーバ、１０２は宣伝広告システムのＷｅｂページを示している。また、図２は、宣伝広告実施車両に設備された出力ユニットの構成例を示す図であり、図２において、２０は出力ユニット、２１はディスプレイ、２１ａはスピーカ、２２は出力ユニット２０を通信ネットワーク５と接続するための通信ユニットを示している。
【００１６】
また、図３は、図１に例示する宣伝広告システムにおける宣伝広告の手順の流について説明するための図であり、図１に示す宣伝広告システムでは、以下のようにして宣伝広告が行われる。
（１）宣伝広告実施者１は、宣伝広告システム１００への初期登録時に、個人情報を宣伝広告システム１００のサーバ１０１に登録する（図３のステップＳ１、Ｓ２）。また、宣伝広告依頼者２は、本宣伝広告システム１００への初期登録時に、企業情報、宣伝広告内容や条件、宣伝広告報酬などを、宣伝広告システム１００のサーバ１０１に登録する（ステップＳ３、Ｓ４）。
【００１７】
（２）宣伝広告実施者１の情報は宣伝広告依頼者２へ、宣伝広告依頼者２の情報は宣伝広告実施者１へ、インターネットなどの通信ネットワーク５上に、Ｗｅｂページ１０２により公開する（ステップＳ５）。
【００１８】
（３）宣伝広告依頼者２は、Ｗｅｂページ１０３により宣伝広告実施者１の情報を閲覧し（ステップＳ６）、宣伝広告を依頼したい宣伝広告実施者１へ、宣伝広告システム１００を介して宣伝広告の実施を依頼する（ステップＳ７）。
なお、宣伝広告実施者１の抽出は、宣伝広告実施者１が広告を実施しても良いと思う条件を予めサーバ１０１に登録しておき、サーバ１０１内において宣伝広告依頼者２が登録した条件に合致する条件を登録している宣伝広告実施者１を検索して、この検索によって抽出された宣伝広告実施者１に対して宣伝広告の実施を依頼するようにしてもよい。このようにすることによって、宣伝広告実施者１の抽出作業を自動的に行うことが可能となる。これは、宣伝広告依頼者２が大量の宣伝広告実施者１に対して広告の依頼をしたい場合などに有効である。
【００１９】
（４）宣伝広告依頼者２からの依頼は、宣伝広告実施者に通知される（ステップＳ８）。宣伝広告実施者１が了承し（ステップＳ９）、双方が合意すると契約が成立し（ステップＳ１０）、実際に宣伝広告を実施する。
【００２０】
（５）宣伝広告実施車両４には、周囲から見える位置に、出力ユニット２０を装着し、出力ユニット２０内のディスプレイ２１やスピーカ２１ａにより、画像や音声や文字等の情報を出力する（図２参照）。また、出力ユニット２０には、通信ユニット（公衆回線通信機器や、無線ＬＡＮや、ブルートゥースなどの近接通信機器）２２を装着し、インターネットや、公衆回線や、近接通信などの通信ネットワーク５を介して、サーバ１０１との通信を可能とする。
【００２１】
（６）宣伝広告情報は、この通信ユニット２２を介して、サーバ１０１から出力ユニット２０にダウンロードされる（ステップＳ１１、Ｓ１２）。また、宣伝広告情報は、一定期間ごとに更新され、また複数の種類の宣伝広告情報を出力することができる。
【００２２】
（７）宣伝広告実施者１は、宣伝広告を表示した宣伝広告実施車両を運転し、宣伝広告依頼者２の広告を宣伝する（ステップＳ１３）。
【００２３】
（８）宣伝広告依頼者２は、宣伝広告の実施量に応じて、宣伝広告実施者１に銀行振込などで報酬を支払う（ステップＳ１４）。また、宣伝広告依頼者２は、宣伝広告の実施量に応じて、宣伝広告システム１００の運営者（又は仲介者）に対して、システム利用料を支払う（ステップＳ１５）。
【００２４】
また、図４に例示するように宣伝広告実施車両４には地理上の位置検出ユニット（ＧＰＳ（Ｇｌｏｂａｌ　Ｐｏｓｉｔｉｏｎｉｎｇ　Ｓｙｓｔｅｍ）衛星と基地局の信号を利用）２３を装着し、通信ユニット２１を介して、サーバ１０１に宣伝広告実施車両４の位置情報を送信することができる。これにより、サーバ１０１側では宣伝広告実施車両４の現在位置の検出が可能になり、宣伝広告が実施されている地域・場所、宣伝広告の実施された時間などが把握でき、宣伝広告依頼者２の要求する条件が満たされているかどうかを確認できる。
【００２５】
また、図５は、宣伝広告実施車両４に、個人認証ユニット２４を搭載した例を示している。個人認証ユニット２４による個人認証方式には、指紋などの生体情報による個人認証機器や、ＩＣカード６や、個人認証機能を有する携帯端末７などを使用できる。この個人認証ユニット２４と通信ユニット２１を使用することにより、宣伝広告依頼者２は、宣伝広告実施者１が宣伝広告の依頼条件を満たし人物かどうかを確認できる。
【００２６】
また、図６に例示するように、出力ユニット２０には、タッチパネル２５や、音声認識装置２６などの入力ユニットを付加するようにすることができる。これにより、宣伝広告実施者１に対するアンケート情報をタッチパネル２５上に出力表示し、宣伝広告実施者１がそのアンケートに答えるようにすることができる。アンケート結果の情報は、通信ユニット２２及び通信ネットワーク５を介して、宣伝広告システム１００のサーバ１０１に送信され、宣伝広告システム１００のサーバ１０１に記録される。宣伝広告依頼者２は、このアンケート結果情報を宣伝広告システム１００のＷｅｂページ１０２などで確認できる。また、宣伝広告依頼者２は宣伝広告実施者１に、アンケート回答実施報酬金を、宣伝広告実施料と合わせて銀行振込などで支払う。なお、出力ユニット２０を取り外し可能とし、宣伝広告実施者１が宣伝広告対象者にアンケートを実施し、このアンケートに対する回答を得るようにしてもよい。
【００２７】
また、図７は、宣伝広告システムのサーバ１０１の構成例を示す図であり、本発明に直接関係するものを示したものである。図７において、１０３はサーバ１０１と通信ネットワーク５とを接続するための通信用インタフェース、１０４はサーバ１０１の全体を統括制御する制御部、１１０は各種の情報を記録するデータベース、１２０は処理プログラム部を示している。
【００２８】
データベース１１０には、以下の情報が記録される。
宣伝広告実施者個人情報１１１は、宣伝広告実施者１が宣伝広告システム１００へ初期登録を行う際に登録する個人情報である。宣伝広告実施者１の氏名、住所、電話番号、性別、年齢などの個人情報が記録される。
宣伝広告実施者個人認証情報１１２は、宣伝広告実施者１の正当性を認証するための個人認証情報を記録したものである。
宣伝広告依頼者情報１１３は、宣伝広告依頼者２が宣伝広告システム１００へ初期登録する際に登録する情報である。宣伝広告依頼者２の企業情報や、宣伝広告内容や条件、宣伝広告報酬などを登録する。
宣伝広告情報１１４は、実際に宣伝広告される情報を記録したものである。
宣伝広告実施状況情報１１５は、宣伝広告実施車両４の位置情報と宣伝実施時間の情報を基に、宣伝広告の実施状況を記録した情報である。
アンケート情報１１６は、宣伝広告実施者１へのアンケート情報と、宣伝広告実施者１が回答したアンケート回答情報を記録した情報である。
【００２９】
また、処理プログラム部１２０は、以下の処理部が含まれる。
Ｗｅｂページ公開処理部１２１は、宣伝広告実施者１および宣伝広告依頼者２の情報を、インターネットなどの通信ネットワーク５上にＷｅｂページにより公開するための処理部である。
宣伝広告実施者情報登録処理部１２２は、宣伝広告実施者１の個人情報をデータベース１１０に登録するための処理部である。
個人認証情報登録処理部１２３は、宣伝広告実施者１の個人認証情報をデータベース１１０に登録するための処理部である。
宣伝広告依頼者情報登録処理部１２４は、宣伝広告依頼者２の企業情報と宣伝広告情報の内容などをデータベース１１０に登録するための処理部である。
位置情報受信処理部１２５は、宣伝広告実施車両４から送信される位置情報を受信し、データベース１１０に記録するための処理部である。
個人認証情報記録処理部１２６は、宣伝広告実施者１の個人認証情報をＩＣカード６や携帯端末（個人認証機能を持つ携帯端末）７に記録するための処理部である。
認証処理部１２７は、宣伝広告実施車両４の出力ユニット２０から送信される個人認証情報を受信し、宣伝広告実施者１の正当性を認証するための処理部である。
宣伝広告情報送信処理部１２８は、宣伝広告情報を宣伝広告実施車両４に送信するための処理部である。
アンケート情報送信処理部１２９は、アンケート情報を宣伝広告実施車両４に送信し、出力ユニット２０に表示させるための処理部である。
アンケート回答情報受信処理部１３０は、宣伝広告実施車両４からアンケートに対する回答情報を受信するとともに、アンケート回答情報をデータベース１１０に記録するための処理部である。
【００３０】
なお、この処理プログラム部１２０は専用のハードウエアにより実現されるものであってもよく、またこの処理プログラム部はメモリおよびＣＰＵ（中央処理装置）等の汎用の情報処理装置により構成され、この処理部の機能を実現するためのプログラム（図示せず）をメモリのロードして実行することによりその機能を実現させるものであってもよい。また、このサーバには、周辺機器として入力装置、表示装置等（いずれも表示せず）が接続されているものとする。ここで、入力装置としては、キーボード、マウス等の入力デバイスのことをいう。表示装置とは、ＣＲＴ（Ｃａｔｈｏｄｅ　Ｒａｙ　Ｔｕｂｅ）や液晶表示装置等のことをいう。
【００３１】
また、図８は、宣伝広告実施車両４の出力ユニット２０の構成例を示す図であり、本発明に直接関係するものを示したものである。図８において、２０は出力ユニット、２１ａはスピーカ、２２は出力ユニット２０と通信ネットワーク５とを接続する通信ユニット、２３は宣伝広告実施車両４の地理上の現在位置を検出する位置情報ユニット、２４は宣伝広告実施者１の個人認証情報を読み取るための個人認証ユニット、２５は情報表示と情報入力が可能なタッチパネル、３１は出力ユニット２０の全体を統括制御する制御部、４０は処理プログラム部を示している。
【００３２】
また、処理プログラム部４０には、以下の処理部が含まれる。
宣伝広告情報受信処理部４１は、宣伝広告システム１００のサーバ１０１から、通信ネットワーク５及び通信ユニット２２を介して、宣伝広告情報を受信するための処理部である。
宣伝広告情報出力処理部４２は、宣伝広告システム１００のサーバ１０１から受信した宣伝広告情報をタッチパネル２５へ表示する処理と、スピーカ２１ａから音声出力するための処理を行う。
位置情報送信処理部４３は、位置情報ユニット２３により検出した宣伝広告実施車両４の現在位置を、宣伝広告システム１００のサーバ１０１に送信するための処理部である。
個人認証情報読取処理部４４は、個人認証ユニット２４による個人認証情報の読み取り動作を制御するための処理部である。
個人認証情報送信処理部４５は、個人認証ユニット２４で読み取った個人認証情報を、宣伝広告システム１００のサーバ１０１に送信するための処理部である。
アンケート情報表示処理部４６は、通信ネットワーク５及び通信ユニット２２を介して、宣伝広告システム１００サーバ１０１からアンケート情報を受信し、タッチパネル２５にアンケートを表示するための処理部である。
アンケート回答情報送信処理部４７は、宣伝広告実施者１が回答したアンケート情報を、宣伝広告システム１００のサーバ１０１に送信するための処理部である。
音声認識処理部４８は、タッチパネル２５に表示されたアンケート情報に対して、宣伝広告実施者１が音声による回答を行う場合に、マイク２６ａから入力された音声信号を解析し、音声認識を行うための処理部である。
【００３３】
以上、本発明の実施の形態につて説明したが、図７に示す宣伝広告システムのサーバ１０１内の処理プログラム部１２０、及び図８に示す出力ユニット２０内の処理プログラム部４０の機能を実現するためのプログラムをコンピュータ読み取り可能な記録媒体に記録して、この記録媒体に記録されたプログラムをコンピュータシステムに読み込ませ、実行することにより、処理プログラム部１２０及び４０に必要な処理を行ってもよい。なお、ここでいう「コンピュータシステム」とは、ＯＳや周辺機器等のハードウェアを含むものとする。
【００３４】
また、「コンピュータ読み取り可能な記録媒体」とは、フレキシブルディスク、光磁気ディスク、ＲＯＭ、ＣＤ−ＲＯＭ等の可般媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムを送信する場合の通信線のように、短時間の間、動的にプログラムを保持するもの（伝送媒体ないしは伝送波）、その場合のサーバやクライアントとなるコンピュータシステム内部の揮発性メモリのように、一定時間プログラムを保持しているものも含むものとする。
また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００３５】
以上、本発明の宣伝広告システムの実施の形態について説明したが、本発明は上述の図示例にのみ限定されるものではなく、本発明の要旨を逸脱しない範囲内において種々変更を加え得ることは勿論である。
【００３６】
【発明の効果】
以上説明したように、本発明の宣伝広告システム及び宣伝広告方法においては、宣伝広告システムのサーバから宣伝広告実施車両に宣伝広告情報を送信し、宣伝広告実施車両の出力ユニットに、宣伝広告情報を画像表示、音声出力または文字出力する。
これにより、所望の宣伝広告情報を迅速かつ簡単に表示できる他、宣伝広告のデザインを変更する場合、従来のように塗料で描き直したり、印刷物を貼り直すことなく、簡単にデザイン変更が行える。従って、効率的かつ効果的な宣伝広告が可能となる。
【００３７】
また、本発明の宣伝広告システムにおいては、宣伝広告を実施する車両に位置検出装置を設備し、車両の現在位置を宣伝広告システムのサーバに送信する。宣伝広告システムのサーバでは、車両の位置情報を基に、車両の宣伝広告の実施状況を記録する。
これにより、宣伝広告の実施状況を容易に把握でき、宣伝広告実施者が宣伝広告の依頼条件を満たしているかどうかを確認できる。
【００３８】
また、本発明の宣伝広告システムにおいては、宣伝広告システムのサーバに宣伝広告実施者の個人情報と認証情報を登録すると共に、宣伝広告実施者が保持するＩＣカードまたは携帯端末に個人認証情報を記録する。車両側では、宣伝広告実施者の保持するＩＣカードまたは携帯端末に記録された個人認証情報を読み取り、宣伝広告システムのサーバに送信し、サーバ側で宣伝広告実施者の認証を行う。
これにより、宣伝広告実施者が宣伝広告の依頼条件を満たした人物かどうかを確認できる。
【００３９】
また、本発明の宣伝広告システムにおいては、車両側の出力ユニットにアンケート情報を表示させ、車両側からアンケート回答情報をサーバ側で受信して記録する。
これにより、宣伝広告実施者を選別して効率的にアンケート情報を収集することができる。
【図面の簡単な説明】
【図１】本発明の宣伝広告システムのシステム構成例を示す図である。
【図２】宣伝広告実施車両に設備された出力ユニットの構成例を示す図である。
【図３】宣伝広告の手順の流れについて説明するための図である。
【図４】宣伝広告実施車両に位置検出ユニットを設備した例を示す図である。
【図５】宣伝広告実施車両に個人認証ユニットを搭載した例を示す図である。
【図６】出力ユニットに入力ユニットを付加した例を示す図である。
【図７】宣伝広告システムのサーバの構成例を示す図である。
【図８】宣伝広告実施車両の出力ユニットの構成例を示す図である。
【符号の説明】
１　宣伝広告実施者
２　宣伝広告依頼者
３　宣伝広告対象者
４　宣伝広告実施車両
５　通信ネットワーク
６　ＩＣカード
７　携帯端末
２０　出力ユニット
２１　ディスプレイ
２１ａ　スピーカ
２２　通信ユニット
２３　位置情報ユニット
２４　個人認証ユニット
２５　タッチパネル
２６　音声認識装置
２６ａ　マイク
３１　制御部
４０　処理プログラム部
４１　宣伝広告情報受信処理部
４２　宣伝広告情報出力処理部
４３　位置情報送信処理部
４４　個人認証情報読取処理部
４５　個人認証情報送信処理部
４６　アンケート情報表示処理部
４７　アンケート回答情報送信処理部
４８　音声認識処理部
１００　宣伝広告システム
１０１　宣伝広告システムのサーバ
１０２　Ｗｅｂページ
１０３　通信用インタフェース
１０４　制御部
１２０　処理プログラム部
１２１　Ｗｅｂページ公開処理部
１２２　宣伝広告実施者情報登録処理部
１２３　個人認証情報登録処理部
１２４　宣伝広告依頼者情報登録処理部
１２５　位置情報受信処理部
１２６　個人認証情報記録処理部
１２７　認証処理部
１２８　宣伝広告情報送信処理部
１２９　アンケート情報送信処理部
１３０　アンケート回答情報受信処理部
【図１】
2004029572.tif 000003
【図２】
2004029572.tif 000004
【図３】
2004029572.tif 000005
【図４】
2004029572.tif 000006
【図５】
2004029572.tif 000007
【図６】
2004029572.tif 000008
【図７】
2004029572.tif 000009
【図８】
2004029572.tif 000010